(57)【要約】【課題】キャップ装着位置を自由に設定することができ、中栓やシール部材を設けることができると共に、タンパーエビデントリングとして容易に切断する分離スカート部を分離した後のキャップは、キャップ装着位置の設定に関係なく自由に着脱することができるキャップ装着装置。【解決手段】タンパーエビデントリングとして容器首部２１に残るようになした分離スカート部１０を、キャップ１に対して容易に切断するブリッジ６により連結すると共に、当該分離スカート部１０を容器首部２１の停止片２４および取り外し阻止片１３に係合せしめて、キャップ１の天板部が容器開口２２に密着しない位置においてキャップの推進が阻止されると同時に、キャップの緩み止めがなされるようにした緩み止めキャップ装着装置。【選択図】　　　　　　図１
2004131087.tif 000002
【特許請求の範囲】
【請求項１】
容器首部にキャップをねじ推進して装着するキャップ装着装置において、キャップを離脱する際にキャップ部から分離してタンパーエビデントリングとして容器首部に残るようになした分離スカート部を、キャップ部に対して容易に切断する複数個所の連結ブリッジにより連結すると共に、当該分離スカート部を容器首部の停止片および取り外し阻止片に係合せしめて、キャップの天板部が容器開口に密着しない位置においてキャップの推進が阻止されると同時に、キャップの緩み止めがなされるようにした緩み止めキャップ装着装置。
【請求項２】
請求項１に記載の緩み止めキャップ装着装置において、緩み止め部が分離スカート部の脱落阻止片と容器首部の脱落阻止部の係合部の双方に設けられた微細な凹凸構造からなる緩み止めキャップ装着装置。
【請求項３】
請求項１又は２に記載の緩み止めキャップ装着装置において、緩み止め部がキャップのねじ部と容器首部のねじ部の係合部の双方に設けられた微細な凹凸構造からなる緩み止めキャップ装着装置。
【請求項４】
請求項２又は３に記載の緩み止めキャップ装着装置において、凹凸構造のピッチが０．１ミリメートル乃至０．７ミリメートルであって、凹凸構造の山谷の深さが０．０５ミリメートル乃至０．３ミリメートルからなる緩み止めキャップ装置。
【請求項５】
請求項１乃至４のいずれかに記載の緩み止めキャップ装着装置において、緩み止め部の係合時の回転トルクがキャップスカート部から分離スカート部を分離する際に連結ブリッジの破断に要する回転トルクの１乃至５０％からなる緩み止めキャップ装着装置。
【請求項６】
請求項１乃至５のいずれかに記載の緩み止めキャップ装着装置において、緩み止め機能がキャップ開封時に緩みを実質的感じられなくなるように、容器首部の停止片および取り外し阻止片部の間隔を狭めてなる緩み止めキャップ装着装置。
【請求項７】
請求項１乃至６のいずれかに記載の緩み止めキャップ装着装置を袋状容器の開口部に付設し、再封可能かつボイル加熱もしくはレトルト加熱を可能にした容器。
【発明の詳細な説明】
【０００１】
【発明の属する技術分野】
本発明は、緩み止めキャップ装着装置および該キャップ装着装置を付設した再封可能かつボイル加熱もしくはレトルト加熱可能な容器に関する。
【０００２】
【従来の技術】
従来、例えば、ガスバリア性に優れている等の理由で、容器開口にアルミシール、又はプルトップ付の中栓等からなるシール部材を設けた容器首部にキャップを装着して容器を販売した後、需要者がシール部材を除去して容器内容物を使用した後、再度キャップを装着してキャップ内奥の密封栓部を容器開口に嵌合して密封し、液漏れ等が生じないように使用するタイプの容器の場合等において、最初にシール部材を設けた容器首部にキャップを装着する第一の装着段階で、前記キャップ密封栓部が前記シール部材を破らないようにするには、キャップ密封栓部が嵌合する分だけシール部材を容器開口の内奥に位置して設ける必要がある。
【０００３】
該容器においてはキャップ密封栓部が嵌合する分だけシール部材を容器開口の内奥に位置して設けるため、容器首部にキャップを装着した状態でキャップと容器首部の摩擦抵抗が弱くなり、キャップ装着商品の移送時の衝撃・振動によって、容易にキャップ部が緩んでしまうことが避けがたく、需要者が容器内容物を使用する際のタンパーエビデンス性を確保することが困難であった。
【０００４】
同様に、該容器に内容物を充填後キャップを装着し、商品をボイル加熱やレトルト加熱処理によって殺菌処理を施す際に、熱衝撃あるいはごく僅かな容器首部・キャップの熱変形を生じることによって、容易にキャップ部が緩んでしまうことが避けがたく、需要者が容器内容物を使用する際のタンパーエビデンス性を確保することが困難であった。
【０００５】
【発明が解決しようとする課題】
シール部材を容器開口の内奥に位置して設けることは、それだけ容器開口を複雑にし、シール部材の設置も難しくなるのみならず、シール部材を除去する手段もアルミシール等の場合には困難になると同時に、キャップ装着商品の移送時の衝撃・振動あるいはボイル加熱やレトルト加熱処理によって殺菌処理を施す際の熱衝撃・熱変形によって、容易にキャップ部が緩んでしまうことが避けがたい課題がある。
【０００６】
【課題を解決するための手段】
そこで、本発明は、容器首部にキャップをねじ推進して装着するキャップ装着装置において、キャップを離脱する際にキャップ部から分離してタンパーエビデントリングとして容器首部に残るようになした分離スカート部を、キャップ部に対して容易に切断する複数個所の連結ブリッジにより連結すると共に、当該分離スカート部を容器首部の停止片および取り外し阻止片に係合せしめて、キャップの天板部が容器開口に密着しない位置においてキャップの推進が阻止されると同時に、キャップの緩み止めがなされるようにした緩み止めキャップ装着装置を提供するものである。
【０００７】
本発明によれば、容器首部にキャップを推進して装着するキャップ装着位置において、分離スカート部が容器首部の停止片に係合してキャップの推進を阻止されることにより、キャップの装着位置を自由に設定することができるから、例えば、キャップ天板部に密封栓部や破栓用突起等を突出して設けることができると共に、容器開口にキャップ天板部に接触して影響を受けないように中栓やシール部材を設けることができる。
【０００８】
容器開口にシール部材を設けることは、内容物を外界から完全に遮断するのみならず、内容物の殺菌・長期間保存を可能にする目的で、ボイル処理ないしレトルト処理をする際に、内容物への熱水あるいは水蒸気等の侵入を防止することを可能ならしめる。
【０００９】
本発明によれば、容器首部の停止片に係合してキャップの推進を阻止され、同時に、容器首部の取り外し阻止片に係合してキャップの離脱を阻止されるのが、容易に切断する複数個所のブリッジにより連結されて、キャップ部に分離可能に設けた分離スカート部であることにより、分離スカート部を分離した後のキャップ部は容器首部の停止片や取り外し阻止片に関係なく自由に着脱することができるから、例えば、容器使用時にシール部材や中栓を除去した後にキャップを容器開口に密着するように自由に装着することができる。
【００１０】
本発明によれば、分離した分離スカート部を容器首部に残しておくことができるから、容器使用時に分離スカート部を処分する必要がないのみならず、分離スカート部の脱落阻止部が容器首部の脱落阻止片と係合することにより、分離スカート部が容器首部から上方に抜け落ちないように脱落を阻止されることにより、分離後にタンパーエビデントリングとして機能を持続することとなる。
【００１１】
本発明によれば、容器首部にキャップをねじ式に推進し離脱するようになしたため、容器首部にキャップを強力かつ正確かつ確実に着脱することができ、特には、ねじ式推進力を用いて複数のブリッジ連結部を切断して、キャップ部から分離スカート部を円滑に容易に離脱することができる。
【００１２】
また、本発明は、請求項２に記載のように、請求項１に記載の緩み止めキャップ装着装置において、緩み止め部が分離スカート部の脱落阻止片と容器首部の脱落阻止部の係合部の双方に設けられた微細な凹凸構造からなる緩み止めキャップ装着装置を提供するものである。
本発明によれば、キャップ装着時に互いに係合する分離スカート部の脱落阻止片と容器首部の脱落阻止部に設けられた微細な凹凸構造からなる緩み止め部により、確実に容器に装着したキャップの緩み止めを行うことができる。
【００１３】
また、本発明は、請求項３に記載のように、請求項１又は２に記載の緩み止めキャップ装着装置において、緩み止め部がキャップのねじ部と容器首部のねじ部の双方に設けられた微細な凹凸構造からなる緩み止めキャップ装着装置を提供するものである。
本発明によれば、キャップ装着時に互いに係合するキャップのねじ部と容器首部のねじ部の双方に設けられた微細な凹凸構造からなる緩み止め部により、確実に容器に装着したキャップの緩み止めを行うことができる。
【００１４】
また、本発明は、請求項４に記載のように、請求項２又は３に記載の緩み止めキャップ装着装置において、凹凸構造のピッチが０．１ミリメートル乃至０．７ミリメートルであって、凹凸構造の山谷の深さが０．０５ミリメートル乃至０．３ミリメートルからなる緩み止めキャップ装置を提供するものである。
本発明によれば、微少な多数の凹凸構造によってキャップの緩み止めができる。
【００１５】
また、本発明は、請求項５に記載のように、請求項１乃至４のいずれかに記載の緩み止めキャップ装着装置において、緩み止め部の係合時の回転トルクがキャップスカート部から分離スカート部を分離する際に連結ブリッジの破断に要する回転トルクの１乃至５０％からなる緩み止めキャップ装着装置を提供するものである。
本発明によれば、キャップスカート部から分離スカート部を分離する前に、緩み止めが解除されて、連結ブリッジを破断することができる。
【００１６】
また、本発明は、請求項６に記載のように、請求項１乃至５のいずれかに記載の緩み止めキャップ装着装置において、緩み止め機能がキャップ開封時に緩みを実質的感じられなくなるように、容器首部の停止片および取り外し阻止片部の間隔を狭めてなる緩み止めキャップ装着装置を提供するものである。
本発明によれば、容器首部の停止片および取り外し阻止片部の間隔を狭めたことにより、分離スカート部の脱落阻止部が容器首部の停止片に突き当たってねじ込みが停止する装着位置で、脱落阻止部と脱落阻止片が当接可能になしたため、キャップ開封時に緩みを実質的感じることなくキャップを開封することができる。
【００１７】
また、本発明は、請求項７に記載のように、請求項１乃至６のいずれかに記載の緩み止めキャップ装着装置を袋状容器の開口部に付設し、再封可能かつボイル加熱もしくはレトルト加熱を可能にした容器を提供するものである。
本発明に係る容器によれば、袋状容器の開口部に請求項１乃至６のいずれかに記載の緩み止めキャップ装着装置を付設したことにより、再封可能かつボイル加熱もしくはレトルト加熱を可能にすることができる。
【００１８】
本発明において、前述の本発明の一部をなすキャップ装着装置の構造は、密封性を確保するための容器開口部シール材等の装着，タンパーエビデント性を確保するための分離スカート部の構造，易開封で開封後のずり落ち防止を可能とする分離スカート部と容器首部に設けられた構造，並びに分離スカート部を下方に大きく待避することによってキャップの再封密閉性を確保する構造からなるが、該構造のみでは中味充填後にキャップ装着装置を装着した後に、搬送時や箱詰め時の振動や衝撃、あるいはボイル処理・レトルト処理等の加熱処理に伴う熱変形や熱衝撃によって、装着したキャップ装着装置が緩んでしまうことを防止する事が困難であった。
【００１９】
本発明者らは鋭意検討を行った結果、該構造を有するキャップ装着装置に緩み止め構造を付設する事によって搬送時や箱詰め時の振動や衝撃、あるいはボイル処理・レトルト処理等の加熱処理に伴う熱変形や熱衝撃によって、装着したキャップ装着装置が緩んでしまうことを防止することを見出し本発明を完成させた。
【００２０】
本発明において、緩み止め構造としては搬送時や箱詰め時の振動や衝撃、あるいはボイル処理・レトルト処理等の加熱処理に伴う熱変形や熱衝撃によってキャップ装着装置が緩むことを防止できる構造であれば特に制限されるものではなく、キャップ装着装置のキャップを容器口部に装着した状態から開封する際に、実質的に緩みを感じさせない範囲の回転角でキャップスカート部から分離スカート部を分離する際に連結ブリッジの破断に至る構造であっても良い。
【００２１】
【発明の実施の形態】
以下図示する実施例により本発明の実施の形態を説明する。
図１において、１はキャップで、その天板部に、首部本体２０の容器首部２１に破線で示す容器開口２２に嵌合するキャップ密封栓部２を具備している。容器開口２２には、太線で示すシール部材３０が設けてあり、図１に示す第一の装着段階ではキャップ密封栓部２はシール部材３０を破らないように接している。
【００２２】
なお、キャップ密封栓部２は、実施例では、容器開口２２の内周部に嵌合する凸状の形態からなるが、容器開口のシール部材３０を破砕する鋭端部を有する形態のもの，容器開口２２のの外周部に嵌合する凹状の形態のもの，容器開口２２の内外周部に嵌合する二重円筒状の形態のもの，或いは、ゴム状で弾性変形して容器開口２２に密着する形態のもの等の構成が含まれ、従って、容器開口２２にキャップ密封栓部２が嵌合する形態としては、文字通りに嵌合する形態に限定されずに、容器開口に圧着する形態も含まれるものである。
【００２３】
また、シール部材３０は、図示の実施例では、アルミシールのように、内側の樹脂層を容器開口２２に剥ぎ取り可能に接着又は溶着した形態のものであるが、容器開口２２にプルトップにより剥ぎ取り可能に一体成形した形態のもの，破り取れるように薄膜状に設けた形態のもの，或いは、内栓式に容器開口２２に弾性的に嵌着した形態のもの等、従来公知の形態が含まれる。
【００２４】
容器首部２１には、約１８０＆ｄｅｇ；の角度に２重ねじ２３が設けてあり、これにキャップ１のねじ３が螺合して、図３の螺号開始位置から、図４の約４５＆ｄｅｇ；回転した中間位置を経て、図５の約９０＆ｄｅｇ；回転したキャップ密封栓部２がシール部材３０に接している第一の装着段階に至り、キャップ１を一旦取り外してシール部材３０を除去してから、再度螺合して約１８０＆ｄｅｇ；回転したときには、図６に記載のように、容器開口２２にキャップ密封栓部２が嵌合して密封する第二の装着段階にキャップ１を装着することができるように構成してある。
【００２５】
ここで、本発明においては、キャップ１のねじ部３と容器首部２１のねじ部２３の接合部の双方に微細な凹凸構造からなる緩み止め部が設けてあり、緩み止め部の係合時の回転トルクが、後述するキャップスカート部から分離スカート部を分離する際に連結ブリッジの破断に要する回転トルクの１乃至５０％からなるように設定してある。
また、このための凹凸構造のピッチは０．１ミリメートル乃至０．７ミリメートルであって、凹凸構造の山谷の深さが０．０５ミリメートル乃至０．３ミリメートルからなることが好ましい。
【００２６】
キャップ１には、図７に記載の如く、外周にやや拡張したキャップスカート部４が設けてあり、その下側に所定の間隔５を隔てて分離スカート部１０がタンパーエビデントリングとしてブリッジ６により離脱可能に連結して設けてある。
キャップスカート部４には、１８０＆ｄｅｇ；の間隔を隔てて２個所に切欠部８によってねじ込み方向に向かって係合歯７が設けてあると共に、これに図８又は図９に記載の如く、分離スカート部１０の上縁部に突設した係合歯１１が係合するように設けてあり、キャップ１のねじ込み方向の回転において、分離スカート部１０はブリッジ６が千切れることなくキャップ１と一体に回転するように構成してある。
【００２７】
なお、上記係合歯７，１１は、キャップスカート部４と分離スカート部１０の間において、ねじ込み推進方向においてのみ連動するように係合する連動係合部を構成している。
また、分離スカート部１０には、上記係合歯１１のねじ込み方向側に位置してねじ込み方向に突出した回転阻止部１２が設けてあり、図２又は図５に記載の如く、第一の装着段階において、容器首部２１の下端部に設けた停止片２４に当接してねじ込み方向の回転を阻止されるように構成してある。
【００２８】
また、分離スカート部１０には、上記係合歯１１のねじ戻し方向側に位置してねじ戻し方向に突出した取り外し阻止部１３が設けてあり、図２又は図５に記載の如く、第一の装着段階において、容器首部２１の下端部に設けた取り外し阻止片２５に当接してねじ戻し方向の回転を阻止されるように構成してある。
従って、図１、図２又は図５の第一の装着段階において、分離スカート部１０は、ねじ込み方向にもねじ戻し方向にも回転を阻止されているから、キャップ１はブリッジ６が連結している限りにおいて分離スカート部１０と一体に回転を阻止され、第一の装着段階に確実に保持されることとなり、不用意に離脱されることは防止されている。
【００２９】
即ち、キャップ１のねじ込み方向の回転に対しては、キャップ部の係合歯７と分離スカート部の係合歯１１とが係合していることにより、ブリッジ６に切断力が加わらずにキャップ１と分離スカート部１０は一体的に回転を阻止される一方、キャップ１のねじ戻し方向の回転に対しては、キャップ部の係合歯７と分離スカート部の係合歯１１とが離脱可能で、キャップを強くねじ戻すときにはブリッジ６に切断力が加わり、キャップ１は分離スカート部１０を残してねじ戻し方向に回転することとなる。
【００３０】
なお、実施例の場合、図７に記載の如く、離脱方向の回転に対して互いに当接する係合歯７，１１のテーパー面９，１４が互いに間隔５を拡張してブリッジ６の切断を促進することになり、ブリッジ６に強力に切断力が加わり、容易且つ円滑にブリッジを切断することができることとなる。
【００３１】
また、分離スカート部１０には、上記係合歯１１から約９０＆ｄｅｇ；の角度間隔で、回転阻止部１２と取り外し阻止部１３との間に、脱落阻止部１５が約１８０＆ｄｅｇ；隔てて円弧状に相対して配設してある。実施例の場合、脱落阻止部１５は、図１又は図２に記載の如く、第一の装着段階において、容器首部２１の下端部に回転阻止片２４と取り外し阻止片２５の間に渡って円弧状に突設した脱落阻止片２６に係合して脱落を阻止されるように構成してある。
【００３２】
実施例の場合、脱落阻止部１５は分離スカート部１０の下端部に設けてある一方、脱落阻止片２６は回転阻止片２４と取り外し阻止片２５の上端部に設けてあり、図３のキャップ１の装着開始位置で分離スカート部１０の下端部に設けてある脱落阻止部１５が、回転阻止片２４と取り外し阻止片２５の上端部に設けてある脱落阻止片２６の下側に位置するようにして、図４及び図５の如く、脱落阻止部１５が脱落阻止片２６の下側に円滑に係合するように構成してある。
【００３３】
ここで、本発明においては、先のねじ部３，２３に設けたと同様の機能を果たす微細な凹凸構造からなる緩み止め部が、分離スカート部１０の脱落阻止片２６と容器首部２１の脱落阻止部１５の接合部の双方に設けてある。
【００３４】
容器首部２１の脱落阻止片２６の下側は、図６に記載の如く、分離スカート部１０が下方に移動してリング受け段部２７上にタンパーエビデントリングとして収まる程度に、縦長にスペースを設けてあり、そのスペースに縦長に前記回転阻止片２４と取り外し阻止片２５が設けてあり、分離スカート部１０の下方向への移動を円滑にガイドする機能も兼ねている。
【００３５】
容器首部２１は、図示の実施例の場合、図では省略した柔軟な袋状容器の開口部に一体に取り付けられるスパウト３１に設けてあり、リング受け段部２７の下側に連結首部２９を隔てて容器肩部２８が設けてある。
図１０乃至図１２に記載の如く、スパウト３１の容器肩部２８の下側には、鍔状部３２と溝状部３３とを交互に設けた取付部３５が設けてあり、この取付部３５に接着剤又は溶着等により袋状容器の開口部を取り付けることができるように構成してある。
【００３６】
上記の実施例の構成において、容器首部２１にキャップ１を螺合してねじ込み回転して推進していくと、図３の螺合開始位置において、キャップスカート部４にブリッジ６を介して離脱可能に設けた分離スカート部１０の下端部の脱落阻止部１５が、容器首部２１の脱落阻止片２６を乗り越えてその下側に位置して螺合し、図４の中間位置を経て、図５の約９０＆ｄｅｇ；回転した状態で、分離スカート部１０の回転阻止部１２が容器首部２１の停止片２４に突き当たってキャップ１の推進を阻止し、前記キャップ密封栓部２が前記シール部材３０を破らない位置にキャップ１を装着する第一の装着段階に至る。
【００３７】
この状態では、キャップ１と分離スカート部１０は係合歯７，１１がねじ込み方向において一体的に連動するように係合しているから、キャップ１をねじ込み方向に回転することは不可能である。また、途中のねじ込み状態では、キャップ１のねじ込み方向において多少の抵抗があっても分離スカート部１０にブリッジ６が破断するような力が加わらないから、第一の装着状態に至るまでに分離スカート部１０が離脱する恐れはない。また、この状態で、キャップ１のねじ戻し方向の回転力に対しては、図２に記載のように、分離スカート部１０の取り外し阻止部１３は容器首部の取り外し阻止片２５に係合して回転しないから、キャップ１が不用意に離脱するようなことは防止されている。
【００３８】
次ぎに、容器の内容物を使用するため、キャップ１をねじ戻し方向に逆転して取り外すときには、前述のように、分離スカート部１０の取り外し阻止部１３は容器首部の取り外し阻止片２５に係合して回転しないから、キャップ１に更に回転力を加えると、ブリッジ６が引き千切れて、キャップ１だけが取り外されることとなり、分離スカート部１０は、図６に記載のように、タンパーエビデントリングとしてリング受け段部２７上に落下して留まる。
【００３９】
そして、シール部材３０を除去後に、キャップ１を再度螺合するときには、分離スカート部１０はキャップスカート部４と切り離され自在に下方に押し下げられるから、回転阻止片２４に阻止されることなく、図６に記載のように、容器開口２２にキャップ密封栓部２が嵌合して密封する位置にキャップを装着する第二の装着段階まで、キャップをねじ込んで装着することができる。
このとき、図６に記載のように、キャップ１のスカート部４から分離スカート部１０が大きな間隔５を隔てて離脱していることは明白に判るから、分離スカート部１０はタンパーエビデントリングとして機能することとなる。
【００４０】
本発明によれば、分離スカート部１０の脱落阻止部１５が容器首部２１の脱落阻止片２６に当接しない回転位置からキャップ１を容器首部２１にねじ込み始め、容器首部の停止片２４に突き当たってねじ込みが停止する装着位置で脱落阻止部１５と脱落阻止片２６が当接可能になしたため、キャップ１を容器首部２１にねじ込み始めるときには、分離スカート部１０の脱落阻止部１５が容器首部の脱落阻止片２６に当接しないから容易且つ円滑にキャップのねじ込みができ、ねじ込みが停止する装着位置では脱落阻止部１５と脱落阻止片２６が当接することにより、分離スカート１０の脱落が防止されていることとなる。
【００４１】
本発明によれば、分離スカート部１０の脱落阻止部１５と容器首部２１の脱落阻止片２６とを互いに重なり合わない間隔を隔てて等角度間隔に設けて、互いに当接しない回転位置からキャップ１を容器首部２１にねじ込み始め、容器首部２１の停止片２４に突き当たってねじ込みが停止する装着位置で脱落阻止部１５と脱落阻止片２６が当接可能になしたため、ねじ込みが停止する装着位置で脱落阻止部１５と脱落阻止片２６が重なり合って当接して、分離スカート１０の脱落が確実に防止されることとなる。
【００４２】
また、本発明によれば、まず分離スカート部１０の脱落阻止部１５のねじ込み方向先端部付近に取り外し阻止部１３を設け、次いでねじ込み方向後端部付近に回転阻止部１２を設け、更に容器首部２１の脱落阻止片２６のねじ込み方向先端部付近に設けた取り外し阻止片２５とねじ込み方向後端部付近に設けた停止片２４に装着段階でそれぞれ相対して係合可能に設けたため、ねじ込みが停止する装着位置で分離スカート部１０の脱落阻止部１５と容器首部２１の脱落阻止片２６が重なり合っている状態において、分離スカート部１０の脱落阻止部１５のねじ込み方向先端部付近に設けた取り外し阻止部１３が容器首部２１の脱落阻止片２６のねじ込み方向先端部付近に設けた取り外し阻止片２５と相対し、分離スカート部１０のねじ込み方向後端部付近に設けた回転阻止部１２が容器首部２１のねじ込み方向後端部付近に設けた停止片２４にそれぞれ相対して係合して、キャップ１と容器首部２１がねじ込み、ねじ戻し及び離脱方向において確実に結合した状態にある。
【００４３】
本発明によれば、分離スカート部１０の脱落阻止部１５を分離スカート部１０の下縁辺付近に設けると共に、容器首部２１の脱落阻止片２６を取り外し阻止片２５又は停止片２４の上縁辺付近に設けているため、分離スカート部１０の下縁辺付近に設けた脱落阻止部１５と容器首部２１の取り外し阻止片２５又は停止片２４の上縁辺付近に設けた脱落阻止片２６とが、キャップ装着段階の初期に重なり合って係合するようにすることができると共に、分離後の分離スカート部１０を下方に避退するスペースを大きくとることができる。
【００４４】
本発明によれば、キャップ１部と分離スカート部１０の間にねじ込み推進方向においてのみ連動するように係合する連動係合部７，１１を設けているため、キャップねじ込み方向には分離作用力が作用することなく、キャップを装着することができると共に、キャップ離脱ねじ戻し方向には、分離スカート部に分離作用力が働き、分離することができることとなる。
【００４５】
本発明によれば、キャップ１部から分離スカート部１０を分離した後に分離スカート部１０を下方に大きく避退できるため、キャップを自由な深さにまで推進して装着することができ、更にはキャップ天板部が容器開口２２に密着する位置にまで推進することができ、キャップ天板部に設けたキャップ密封部２を容器開口２２に嵌合して密封することができる。
【００４６】
【発明の効果】
以上の通り、本発明に係る緩み止めキャップ装着装置によれば、容器首部にキャップをねじ推進して装着するキャップ装着装置において、キャップを離脱する際にキャップ部から分離してタンパーエビデントリングとして容器首部に残るようになした分離スカート部を、キャップ部に対して容易に切断する複数個所の連結ブリッジにより連結すると共に、当該分離スカート部を容器首部の停止片および取り外し阻止片に係合せしめて、キャップの天板部が容器開口に密着しない位置においてキャップの推進が阻止されると同時に、キャップの緩み止めがなされるようにした構成を有することにより、容器首部にキャップを推進して装着するキャップ装着位置において、分離スカート部が容器首部の停止片に係合してキャップの推進を阻止されることにより、キャップの装着位置を自由に設定することができるから、例えば、キャップ天板部に密封栓部や破栓用突起等を突出して設けることができると共に、容器開口にキャップ天板部に接触して影響を受けないように中栓やシール部材を設けることができる効果がある。
【００４７】
ここで、容器開口にシール部材を設けることは、内容物を外界から完全に遮断するのみならず、内容物の殺菌・長期間保存を可能にする目的で、ボイル処理ないしレトルト処理をする際に、内容物への熱水あるいは水蒸気等の侵入を防止することを可能ならしめる効果がある。
【００４８】
また、本発明によれば、容器首部の停止片に係合してキャップの推進を阻止され、同時に、容器首部の取り外し阻止片に係合してキャップの離脱を阻止されるのが、容易に切断する複数個所のブリッジにより連結されて、キャップ部に分離可能に設けた分離スカート部であることにより、分離スカート部を分離した後のキャップ部は容器首部の停止片や取り外し阻止片に関係なく自由に着脱することができるから、例えば、容器使用時にシール部材や中栓を除去した後にキャップを容器開口に密着するように自由に装着することができる効果がある。
【００４９】
また、本発明によれば、分離した分離スカート部を容器首部に残しておくことができるから、容器使用時に分離スカート部を処分する必要がないのみならず、分離スカート部の脱落阻止部が容器首部の脱落阻止片と係合することにより、分離スカート部が容器首部から上方に抜け落ちないように脱落を阻止されることにより、分離後にタンパーエビデントリングとして機能を持続することとなる効果がある。
【００５０】
また、本発明によれば、容器首部にキャップをねじ式に推進し離脱するようになしたため、容器首部にキャップを強力かつ正確かつ確実に着脱することができ、特には、ねじ式推進力を用いて複数のブリッジ連結部を切断して、キャップ部から分離スカート部を円滑に容易に離脱することができる効果がある。
【００５１】
また、本発明は、請求項２に記載のように、請求項１に記載の緩み止めキャップ装着装置において、緩み止め部が分離スカート部の脱落阻止片と容器首部の脱落阻止部の係合部の双方に設けられた微細な凹凸構造からなる構成を有することにより、キャップ装着時に互いに係合する分離スカート部の脱落阻止片と容器首部の脱落阻止部に設けられた微細な凹凸構造からなる緩み止め部により、確実に容器に装着したキャップの緩み止めを行うことができる効果がある。
【００５２】
また、本発明は、請求項３に記載のように、請求項１又は２に記載の緩み止めキャップ装着装置において、緩み止め部がキャップのねじ部と容器首部のねじ部の双方に設けられた微細な凹凸構造からなる構成を有することにより、キャップ装着時に互いに係合するキャップのねじ部と容器首部のねじ部の双方に設けられた微細な凹凸構造からなる緩み止め部により、確実に容器に装着したキャップの緩み止めを行うことができる効果がある。
【００５３】
また、本発明は、請求項４に記載のように、請求項２又は３に記載の緩み止めキャップ装着装置において、凹凸構造のピッチが０．１ミリメートル乃至０．７ミリメートルであって、凹凸構造の山谷の深さが０．０５ミリメートル乃至０．３ミリメートルからなる構成を有することにより、微少な多数の凹凸構造によってキャップの緩み止めを有効に行うことができる効果がある。
【００５４】
また、本発明は、請求項５に記載のように、請求項１乃至４のいずれかに記載の緩み止めキャップ装着装置において、緩み止め部の係合時の回転トルクがキャップスカート部から分離スカート部を分離する際に連結ブリッジの破断に要する回転トルクの１乃至５０％からなる構成を有することにより、キャップスカート部から分離スカート部を分離する前に、緩み止めが解除されて、連結ブリッジを破断することができる効果がある。
【００５５】
また、本発明は、請求項６に記載のように、請求項１乃至５のいずれかに記載の緩み止めキャップ装着装置において、緩み止め機能がキャップ開封時に緩みを実質的感じられなくなるように、容器首部の停止片および取り外し阻止片部の間隔を狭めてなる構成を有するから、容器首部の停止片および取り外し阻止片部の間隔を狭めて、分離スカート部の脱落阻止部が容器首部の停止片に突き当たってねじ込みが停止する装着位置で、脱落阻止部と脱落阻止片が当接可能になしたため、キャップ開封時に緩みを実質的感じることなくキャップを開封することができる効果がある。
【００５６】
また、本発明に係る加熱可能な容器によれば、請求項７に記載のように、請求項１乃至６のいずれかに記載の緩み止めキャップ装着装置を袋状容器の開口部に付設し、再封可能かつボイル加熱もしくはレトルト加熱を可能にすることができる効果がある。
【図面の簡単な説明】
【図１】本発明に係る緩み止めキャップ装着装置の一実施例の一部縦断正面図。
【図２】その実施例の要部の横断平面図。
【図３】その実施例の使用態様を示す説明図。
【図４】その実施例の使用態様を示す説明図。
【図５】その実施例の使用態様を示す説明図。
【図６】その実施例の使用態様を示す説明図。
【図７】その要部の縦断正面図。
【図８】その要部の底面図。
【図９】その他の要部の平面図。
【図１０】その他の要部の正面図。
【図１１】その他の要部の平面図。
【図１２】その他の要部の底面図。
【符号の説明】
１　　　キャップ
２　　　キャップ密封栓部
３　　　ねじ
４　　　キャップスカート部
５　　　間隔
６　　　ブリッジ
７　　　係合歯
８　　　切欠部
９　　　テーパー面
１０　　分離スカート部
１１　　係合歯
１２　　回転阻止部
１３　　取り外し阻止部
１４　　テーパー面
１５　　脱落阻止部
２０　　首部本体
２１　　容器首部
２２　　容器開口
２３　　ねじ
２４　　停止片
２５　　取り外し阻止片
２６　　脱落阻止片
２７　　リング受け段部
２８　　容器肩部
２９　　連結首部
３０　　シール部材
３１　　スパウト
３２　　鍔状部
３３　　溝状部
３５　　取付部
【図１】
2004131087.tif 000003
【図２】
2004131087.tif 000004
【図３】
2004131087.tif 000005
【図４】
2004131087.tif 000006
【図５】
2004131087.tif 000007
【図６】
2004131087.tif 000008
【図７】
2004131087.tif 000009
【図８】
2004131087.tif 000010
【図９】
2004131087.tif 000011
【図１０】
2004131087.tif 000012
【図１１】
2004131087.tif 000013
【図１２】
2004131087.tif 000014